(57)【要約】【課題】遊技盤面上の障害釘の間隔を正確に数値表示して、なん人も容易に且つ確実に障害釘の調整を行うことができる遊技機調整システムを提供すること。【解決手段】遊技機の遊技盤面を撮像し、障害釘の画像データを取得する画像データ取得手段と、該画像データ取得手段で取得した画像データをラスター・ベクター変換処理する画像処理手段と、該画像処理手段によって得られたデータから複数の障害釘の釘間距離をそれぞれ取得する釘間距離データ取得手段と、該釘間距離データ取得手段によって得られた障害釘距離データを表示する表示手段を備えたので、熟練を要することなく、誰でも容易に且つ正確に遊技機の障害釘間隔を整備することができる。【選択図】  図１
2004321676.tif 000002
【特許請求の範囲】
【請求項１】
遊技機の遊技盤面を撮像し、障害釘の画像データを取得する画像データ取得手段と、
該画像データ取得手段で取得した画像データをラスター・ベクター変換処理する画像処理手段と、
該画像処理手段によって得られたデータから複数の障害釘の釘間距離をそれぞれ取得する釘間距離データ取得手段と、
該釘間距離データ取得手段によって得られた障害釘距離データを表示する表示手段とを備えたことを特徴とする遊技機調整システム。
【請求項２】
前記障害釘距離データは、遊技盤の一部に関するものであることを特徴とする請求項１に記載の遊技機調整システム。
【請求項３】
前記障害釘距離データは、遊技盤の全範囲に関するものであることを特徴とする請求項１に記載の遊技機調整システム。
【請求項４】
前記釘間距離データ取得手段によって得られた障害釘距離データを印刷する印刷手段を備えたことを特徴とする請求項１に記載の遊技機調整システム。
【発明の詳細な説明】
【０００１】
【発明の属する技術分野】
本発明は、遊技機の遊技盤面上の実際の障害釘の間隔を正確に検出し、基準となる障害釘の位置との差異を数値表示して、この数値表示を見ながら釘調整することのできる遊技機調整システムに関するものである。
【０００２】
【従来の技術】
一般に、遊技盤は障害釘の間隔を正確に調整する必要がある。従来は、熟練した作業者が釘間隔を目測によって調整を行ったり、障害釘間に隙間ゲージを差込み、釘間隔を測りながら調整を行っていた。
【０００３】
【発明が解決しようとする課題】
しかし、従来の熟練者による目側による釘間調整では、作業者の個人差が出易く各一的な障害釘の調整が困難であった。つまり、遊技機の整備を行うために、熟練者が経験と勘によって目側で各台の釘間の整備を行っていた。
【０００４】
本発明は、前記実情に鑑み提案されたもので、遊技盤上の障害釘の間隔調整を行う際にその釘間隔を正確に数値表示して、熟練を要することなく、なん人にも容易に所望の障害釘間隔に客観的に調整することのできる遊技機調整システムを提供することを目的とする。
【０００５】
【課題を解決するための手段】
前記目的を達成するために、請求項１に記載の発明は、遊技機の遊技盤面を撮像し、障害釘の画像データを取得する画像データ取得手段と、該画像データ取得手段で取得した画像データをラスター・ベクター変換処理する画像処理手段と、該画像処理手段によって得られたデータから複数の障害釘の釘間距離をそれぞれ取得する釘間距離データ取得手段と、該釘間距離データ取得手段によって得られた障害釘距離データを表示する表示手段とを備えたことを特徴とするものである。
【０００６】
また、請求項２に記載の発明は、前記障害釘距離データは、遊技盤の一部に関するものであることを特徴とするものである。
【０００７】
また、請求項３に記載の発明において、前記障害釘距離データは、遊技盤の全範囲に関するものであることを特徴するものである。
【０００８】
また、請求項４に記載の発明において、前記釘間距離データ取得手段によって得られた障害釘距離データを印刷する印刷手段を備えたことを特徴するものである。
【０００９】
【発明の実施の形態】
以下、一実施の形態を示す図面に基づいて本発明を詳細に説明する。図１は、本発明に係る遊技機調整システムの一実施例を示す構成図、図２は、本発明に係る遊技機調整システムにおいて遊技盤の一部を撮像した場合を示す説明図である。ここで、遊技機調整システム１０は、遊技機の遊技盤１１を撮像し、障害釘１２の画像データを取得する画像データ取得手段１３と、該画像データ取得手段１３で取得した画像データをラスター・ベクター変換処理する画像処理手段１４と、該画像処理手段１４によって得られたデータから複数の障害釘の釘間距離をそれぞれ取得する釘間距離データ取得手段１５と、該釘間距離データ取得手段１５によって得られた障害釘距離データを表示する表示手段１９を備えている。
【００１０】
画像データ取得手段１３は、画像処理手段１４及び釘間距離データ取得手段１５にデータを容易に取り込むことのできる、デジタルカメラ、デジタルビデオカメラ、画像スキャン装置等のものを最適に使用することができる。また、撮像の対象となる遊技盤１１は、遊技球が入賞し易く、遊技者に有利なものを選択したり、逆に遊技球の入賞が困難で、遊技場側に有利なものを任意に選択できる。また、特に基本的な障害釘の間隔を整備するだけで遊技盤の入賞状態を確実に整備することのできるものを基準とすることが望ましい。撮像範囲は、遊技盤１１の全面であってもよく、また、命釘、ジャンプ釘、道釘、天釘等の重要な障害釘の周辺のみを撮像してもよい（図２参照）。
【００１１】
画像データ取得手段１３から画像処理手段１４へのデータの転送は、有線ケーブルによってもよく、また無線や一旦記録媒体に記録してから転送してもよい。画像処理手段１４は、外部入力装置１７であるキーボード、記録媒体読み取り装置１８及びディスプレイ装置１９等を備えている。画像処理手段１４は、画像データ取得手段１３で取得した画像データをラスター・ベクター変換処理する。ラスター・ベクター変換では、画像データ取得手段１３によって得られた点描画像のラスターデータを直線や曲線の組み合わせであるベクター（ベクトル）データ画像に変換する。
【００１２】
画像処理手段１４によって得られたベクターデータ画像は、釘間距離データ取得手段１５によって各障害釘１２間の距離を算出する。図３に示すように、障害釘１２，１２の間隔ｌ０は、画像データから得られる釘頭部の中心距離Ｌ０−釘軸直径（１．８５ｍｍ）となる。つまり、ｌ０＝Ｌ０−１．８５ｍｍとなる。また、図４に示すように、障害釘１２の一方が傾斜している場合、遊技球の径を考慮した釘間隔をｌ０  とすると、画像データから得られる釘頭部の中心距離Ｌ１  を基に求めることができる。
ｌ１＝ｌ０＋ｍ          ▲１▼
Ｌ１＝ｌ０＋Ｍ          ▲２▼
▲１▼▲２▼式より、ｌ０  を消去すると
ｌ１＝Ｌ１−Ｍ＋ｍ      ▲３▼
また、Ｍ＝Ｈ  ｔａｎθ＝１８  ｔａｎθ
ｍ＝遊技球の半径×ｔａｎθ＝５．５  ｔａｎθ
したがって、ｌ１＝Ｌ１−１２．５  ｔａｎθ
となる。
【００１３】
この様にして求められた釘間隔は、遊技盤の画像データ上に数値として表示される。このように数値表示された画像データは、ディスプレイ装置１９で表示すると共に印刷手段１６で印刷することができる。したがって、遊技場において、ディスプレイ装置１９あるいは印刷した画像データを見ながら、障害釘１２の間隔を測りつつ、所望に遊技盤に正確に整備することができる。ディスプレイ装置１９は、ＣＲＴ、液晶表示装置、プラズマディスプレイ装置等を使用することができる。
【００１４】
次に、以上のように構成された本発明に係る遊技機調整システム１０の使用態様について説明する。先ず、画像データ取得手段１３で整備の基準となる遊技盤１１を撮像して画像データを取得する。この画像データ取得手段１３で取得した画像データをラスター・ベクター変換処理する画像処理手段１４に取り込み、ベクターデータに変換する。変換したベクターデータを基に釘間距離データ取得手段１５で障害釘１２の間隔を算出する。算出した釘間距離データは、撮像した画像データ上に数値表示する。このようにして、釘間距離データ取得手段１５によって得られた障害釘距離データは、ディスプレイ装置１９で表示される。また、印刷手段１６から印刷することができる。
【００１５】
例えば、遊技場において、これらのディスプレイ装置１９または印刷された画像上に表示された具体的数値を見ることにより、遊技盤の釘を整備したい部分、例えば命釘の近傍のみを選択して整備することができる。つまり、この数値表示された画像を見ながら、障害釘の間隔を実際に測定し、表示値との差をハンマーで叩いて整備し、遊技機の品質を所望の状態に維持管理することができる。
【００１６】
尚、以上の実施例では、障害釘の軸間隔を数値表示する例について説明したが、障害釘の頭部間隔を数値表示するものであっても同様の効果を得ることができる。
【００１７】
【発明の効果】
この発明は前記した構成からなるので、以下に説明するような効果を奏することができる。
【００１８】
請求項１に記載の発明では、遊技機の遊技盤面を撮像し、障害釘の画像データを取得する画像データ取得手段と、該画像データ取得手段で取得した画像データをラスター・ベクター変換処理する画像処理手段と、該画像処理手段によって得られたデータから複数の障害釘の釘間距離をそれぞれ取得する釘間距離データ取得手段と、該釘間距離データ取得手段によって得られた障害釘距離データを表示する表示手段を備えたことを特徴とするものである。
【００１９】
このような構成としたことによって、本発明の遊技機調整システムは得られたマスター比較画像である障害釘距離データを見ながら、障害釘の間隔を整備することができる。
したがって、マスター比較画像が有るので熟練を要することなく、誰でも正確に所望の状態に遊技盤の障害釘を整備することができる。
【００２０】
また、請求項２に記載の発明において、前記障害釘距離データは、遊技盤の一部に関するので、必要な部分のみの撮像であっても正確な釘間隔の整備が可能である。例えば、天釘を含む周辺の障害釘整備する際に、この部分のみを撮像することで、容易に障害釘の整備ができる。このようにした場合、画像処理時間や釘間距離データ取得時間、データ印刷時間を短縮することができる。
【００２１】
また、請求項３に記載の発明において、前記障害釘距離データは、遊技盤の全範囲に関するものであるので、障害釘の間隔を遊技盤の全面に渡って数値表示することができる。
【００２２】
また、請求項４に記載の発明において、前記釘間距離データ取得手段によって得られた障害釘距離データを印刷する印刷手段を備えたので、印刷されたマスター比較画像を見ながら、誰でも正確に所望の状態に遊技盤の障害釘を整備することができる。
【図面の簡単な説明】
【図１】図１は、本発明に係る遊技機調整システムの一実施例を示す構成図である。
【図２】図２は、本発明に係る遊技機調整システムにおいて遊技盤の一部を撮像した場合を示す説明図である。
【図３】図３は、遊技盤における障害釘間隔と遊技球との関係を示す説明図である。
【図４】図４は、遊技盤において障害釘が傾斜した場合の遊技球との関係を示す説明図である。
【図５】図５は、本発明に係る遊技機調整システムにおいて遊技盤上の障害釘間隔を数値表示した説明図である。
【符号の説明】
１０      遊技機調整システム
１１      遊技盤
１２      障害釘
１３      画像データ取得手段
１４      画像処理手段
１５      釘間距離データ取得手段
１６      印刷手段
１７      外部入力装置
１８      記録媒体読み取り装置
１９      ディスプレイ装置
【図１】
2004321676.tif 000003
【図２】
2004321676.tif 000004
【図３】
2004321676.tif 000005
【図４】
2004321676.tif 000006
【図５】
2004321676.tif 000007